(57)【要約】  インダクタに流れる電流を高速且つ高精度に検出して、適正な高調波及び力率の改善、並びに正確な動作状態の検知を行えるようにしたＰＦＣコンバータを構成する。  スイッチング素子のオン期間Ｔｏｎの中央タイミングｔｓ１でサンプリングすることによって第１の電流値ＩＬａｖ１を求め、スイッチング素子のオフ期間Ｔｏｆｆの中央タイミングｔｓ２でサンプリングすることによって第２の電流値ＩＬａｖ２を求める。そして、例えばＩＬａｖ１＝ＩＬａｖ２であれば電流連続モード、ＩＬａｖ１≠ＩＬａｖ２であれば電流不連続モードと判定する。
2010061652.tif 000002
【特許請求の範囲】
【請求項１】
交流入力電源から入力される交流電圧を整流する整流回路と、前記整流回路の次段に接続された、インダクタ及びスイッチング素子を含む直列回路と、前記スイッチング素子に並列接続された整流平滑回路と、前記交流入力電源から入力される入力電流が前記交流電圧に対して相似形となるように前記スイッチング素子をオン／オフ制御するスイッチング制御手段と、を備えたＰＦＣコンバータであって、
前記スイッチング素子のオン期間に前記スイッチング素子または前記インダクタに流れる電流を検出する電流検出回路と、
前記スイッチング素子のオン期間の中央で、前記スイッチング素子または前記インダクタに流れる電流の検出信号をサンプリングして第１の電流値として検出する第１の電流検出手段と、
前記スイッチング素子のオフ期間の中央で、前記インダクタに流れる電流の検出信号をサンプリングして第２の電流値として検出する第２の電流検出手段と、
前記第１の電流値と前記第２の電流値とを比較して電流増減状態を検知する電流増減状態検知手段と、
を設けたＰＦＣコンバータ。
【請求項２】
前記電流増減状態検知手段は、前記第１の電流値と前記第２の電流値とが等しいとき電流連続モードと見なし、前記第２の電流値が前記第１の電流値より小さいとき電流不連続モードと見なす、請求項１または２に記載のＰＦＣコンバータ。
【請求項３】
前記電流増減状態検知手段は、異なった周期での、前記第１の電流値同士の変化分または前記第２の電流値同士の変化分に基づいて定常状態と過渡状態の判定を行う、請求項１または２に記載のＰＦＣコンバータ。
【発明の詳細な説明】
【技術分野】
【０００１】
この発明は、交流電源を入力して直流電圧を出力するＡＣ−ＤＣコンバータに関し、特に力率を改善するＰＦＣコンバータに関するものである。
【背景技術】
【０００２】
日本や欧州などでは用途や入力電力などに応じてクラス分けされた高調波電流規制が行われている。これらに対応するため、規制に該当する一般家電製品の電源ではＰＦＣ（力率改善回路）コンバータと呼ばれる回路を付加し、高調波電流を抑える工夫をしている。【０００３】
商用交流電源を入力電源とする一般的なスイッチング電源装置は、商用交流電源を整流平滑して直流電圧に変換した後、それをＤＣ−ＤＣコンバータでスイッチングするので入力電流は不連続となり、正弦波から大きく歪む。このことが高調波電流の原因である。【０００４】
そこで、この高調波電流を抑制することを目的として、全波整流回路の後段で且つ平滑コンデンサによる平滑回路の手前にＰＦＣコンバータが設けられている。【０００５】
このＰＦＣコンバータはチョッパ回路で構成され、入力電流波形が入力電圧波形に相似形となるように、すなわち同位相の正弦波状になるように動作する。そのため高調波電流が一定レベル以下に抑えられる。【０００６】
ここで特許文献１に示されているＰＦＣコンバータの構成例を、図１を基に説明する。
図１に示す力率改善回路において、交流入力電源Ｖａｃの交流電源電圧を整流するダイオードブリッジＢ１の出力両端には、インダクタＬ１と、ＭＯＳＦＥＴであるスイッチング素子Ｑ１と電流検出抵抗Ｒとの直列回路が接続されている。スイッチング素子Ｑ１の両端には、ダイオードＤ１と平滑コンデンサＣ１との直列回路が接続され、平滑コンデンサＣ１の両端には、負荷ＲＬが接続されている。スイッチング素子Ｑ１は、制御回路１０のＰＷＭ制御によりオン／オフするようになっている。電流検出抵抗Ｒは、ダイオードブリッジＢ１に流れる入力電流を検出する。【０００７】
制御回路１０は、誤差増幅器１１１、乗算器１１２、誤差増幅器１１３、電圧制御発振器（ＶＣＯ）１１５、及びＰＷＭコンパレータ１１６を備えている。【０００８】
誤差増幅器１１１は、平滑コンデンサＣ１の電圧と基準電圧Ｅ１との誤差を求める。乗算器１１２は、誤差電圧信号とダイオードブリッジＢ１による整流電圧とを乗算する。誤差増幅器１１３は、乗算器１１２による乗算結果とダイオードブリッジＢ１に流れる電流信号との誤差を生成してＰＷＭコンパレータ１１６へ出力する。【０００９】
ＶＣＯ１１５は、交流電源電圧の整流後の電圧値に応じた周波数の三角波信号を生成する。【００１０】
ＰＷＭコンパレータ１１６は、ＶＣＯ１１５からの三角波信号が−端子に入力され、誤差増幅器１１３からの信号が＋端子に入力される。すなわち、ＰＷＭコンパレータ１１６は、ダイオードブリッジＢ１に流れる電流と出力電圧とに応じたデューティパルスをスイッチング素子Ｑ１に与える。このデューティパルスは、交流電源電圧および直流負荷電圧の変動に対して一定周期で連続的に補償するパルス幅制御信号である。【００１１】
このような構成により、交流電源電流波形が交流電源電圧波形に相似形且つ同位相となるように制御されて、高調波及び力率が改善される。【００１２】
一方、ディジタル制御のＰＦＣコンバータとして特許文献２が開示されている。
ディジタル制御の場合もインダクタに流れる電流を検出して、その電流値に応じたＰＷＭ制御によりスイッチング素子をスイッチングすることになる。
【先行技術文献】
【特許文献】
【００１３】
【特許文献１】特開２００４−２８２９５８号公報
【特許文献２】特開平７−１７７７４６号公報
【発明の概要】
【発明が解決しようとする課題】
【００１４】
ところで、ＰＦＣコンバータの目的である高調波抑制及び力率改善を適正に行うためには、インダクタに流れる電流を高速且つ高精度に検出する必要がある。また、ＰＦＣコンバータの動作状態を検知して、それに応じた処理を行う上でもインダクタに流れる電流を高速且つ高精度に検出する必要がある。【００１５】
特許文献１のＰＦＣコンバータのようにアナログ回路によりスイッチング制御を行う従来のＰＦＣコンバータにおいては、インダクタに流れる電流を必ずしも高速に検出することができない。また、特許文献２のＰＦＣコンバータのようにディジタル制御を行うものでは、もともと必要な演算処理量が多く、応答速度と精度とはトレードオフの関係にある。そのため、精度を保ちつつ応答性を高めるのには限界があった。【００１６】
そこで、この発明の目的は、インダクタに流れる電流を高速且つ高精度に検出して、適正な高調波及び力率の改善、並びに正確な動作状態の検知を行えるようにしたＰＦＣコンバータを提供することにある。
【課題を解決するための手段】
【００１７】
前記課題を解決するために、この発明は次のように構成する。
（１）交流入力電源から入力される交流電圧を整流する整流回路と、前記整流回路の次段に接続された、インダクタ及びスイッチング素子を含む直列回路と、前記スイッチング素子に並列接続された整流平滑回路と、前記交流入力電源から入力される入力電流が前記交流電圧に対して相似形となるように前記スイッチング素子をオン／オフ制御するスイッチング制御手段と、を備えたＰＦＣコンバータであって、
前記スイッチング素子のオン期間に前記スイッチング素子または前記インダクタに流れる電流を検出する電流検出回路と、
前記スイッチング素子のオン期間の中央で、前記スイッチング素子または前記インダクタに流れる電流の検出信号をサンプリングして第１の電流値として検出する第１の電流検出手段と、
前記スイッチング素子のオフ期間の中央で、前記インダクタに流れる電流の検出信号をサンプリングして第２の電流値として検出する第２の電流検出手段と、
前記第１の電流値と前記第２の電流値とを比較して電流増減状態を検知する手段と、
を設けたことを特徴とする。【００１８】
前記第１の電流値はスイッチング素子のオン期間にスイッチング素子及びインダクタに流れる電流の平均値である。また、前記第２の電流値はスイッチング素子のオフ期間にインダクタに流れる電流の平均値である。そのため、この実質的に二点サンプリングによってインダクタに流れる電流の増減状態を検知でき、それに応じた制御を高速に行うことができる。【００１９】
（２）前記電流増減状態検知手段は、前記第１の電流値と前記第２の電流値とが等しいとき電流連続モードと見なし、前記第２の電流値が前記第１の電流値より小さいとき電流不連続モードと見なす。【００２０】
この構成により、電流連続モードと電流不連続モードとの判定を、非常に少ない演算処理量で高速に行うことができ、モードに応じた制御を高速に行える。【００２１】
（３）前記電流増減状態検知手段は、異なった周期での前記第１の電流値同士の変化分または前記第２の電流値同士の変化分に基づいて定常状態と過渡状態の判定を行う。【００２２】
この構成により、定常状態と過渡状態との判定を、非常に少ない演算処理量で高速に行うことができ、状態に応じた制御を高速に行える。
【発明の効果】
【００２３】
この発明によれば、前記第１の電流値と前記第２の電流値を基に、インダクタに流れる電流の増減状態を検知でき、それに応じた制御を高速に行うことができる。【００２４】
また、前記第１の電流値と前記第２の電流値を基に、電流連続モードと電流不連続モードとの判定を行うことにより、非常に少ない演算処理量で電流連続モードと電流不連続モードとの判定を高速に行うことができ、モードに応じた制御を高速に行える。【００２５】
また、前記第１の電流値と前記第２の電流値を基に、定常状態と過渡状態との判定を行うことにより、非常に少ない演算処理量で定常状態と過渡状態との判定を高速に行うことができ、モードに応じた制御を高速に行える。
【図面の簡単な説明】
【００２６】
【図１】特許文献１に示されているＰＦＣコンバータの回路図である。
【図２】この発明の実施形態に係るＰＦＣコンバータの回路図である。
【図３】ディジタル信号処理回路１３によるＰＦＣコンバータ１０１の各種制御方式について示す図である。
【図４】電流連続モードで制御が行われている状態におけるスイッチング周期の単位でのＰＦＣコンバータ１０１の電圧・電流の波形図である。
【図５】電流連続モードで平均電流制御を行うために、インダクタＬ１に流れる電流の平均値を求める方法について示す図である。
【図６】図６（Ａ）は電流連続モードでのインダクタ電流の波形図、図６（Ｂ）は電流不連続モードでのインダクタ電流の波形図である。
【図７】図７（Ａ）は電流連続モードで且つ定常状態でのインダクタ電流の波形図、図７（Ｂ）は電流連続モードで且つ過渡状態でのインダクタ電流の波形図である。
【図８】図８（Ａ）は電流不連続モードで且つ定常状態でのインダクタ電流の波形図、図８（Ｂ）は電流連続モードで且つ過渡状態でのインダクタ電流の波形図である。
【発明を実施するための形態】
【００２７】
この発明の実施形態に係るＰＦＣコンバータについて図２〜図８を参照して説明する。
図２はこの発明の実施形態に係るＰＦＣコンバータ１０１の回路図である。図２において符号Ｐ１１，Ｐ１２はＰＦＣコンバータ１０１の入力ポート、符号Ｐ２１，Ｐ２２はＰＦＣコンバータ１０１の出力ポートである。入力ポートＰ１１−Ｐ１２には商用交流電源である交流入力電源Ｖａｃが入力され、出力ポートＰ２１−Ｐ２２には負荷回路２０が接続される。
【００２８】
負荷回路２０は例えばＤＣ−ＤＣコンバータおよびそのＤＣ−ＤＣコンバータによって電源供給を受ける電子機器の回路である。
【００２９】
ＰＦＣコンバータ１０１の入力段には交流入力電源Ｖａｃの交流電圧を全波整流する整流回路であるダイオードブリッジＢ１を設けている。このダイオードブリッジＢ１の出力側にはインダクタＬ１およびスイッチング素子Ｑ１、さらに電流検出用抵抗Ｒ１の直列回路を接続している。スイッチング素子Ｑ１の両端にはダイオードＤ１および平滑コンデンサＣ１で構成される整流平滑回路を並列接続している。このインダクタＬ１、スイッチング素子Ｑ１、ダイオードＤ１および平滑コンデンサＣ１によっていわゆる昇圧チョッパ回路を構成している。
【００３０】
ダイオードブリッジＢ１の出力側の両端間には入力電圧検出回路１１を設けている。また出力ポートＰ２１−Ｐ２２間に出力電圧検出回路１２を設けている。ディジタル信号処理回路１３はＤＳＰで構成していて、ディジタル信号処理によってこのＰＦＣコンバータ１０１を制御する。すなわち、ディジタル信号処理回路１３は入力電圧検出回路１１の出力信号を入力し、後述する方法によって交流入力電源の電圧の位相を検知する。また出力電圧検出回路１２の出力信号を入力して出力電圧を検知する。さらにスイッチング素子Ｑ１を所定のスイッチング周波数でオン／オフする。
【００３１】
前記ディジタル信号処理回路１３の、スイッチング素子Ｑ１に対するスイッチング制御信号に関する処理部が、この発明に係る「スイッチング制御手段」に相当する。また、前記電流検出用抵抗Ｒ１が、この発明に係る「電流検出回路」に相当する。さらに、前記ディジタル信号処理回路１３の、電流検出に関する処理部が、この発明に係る「第１の電流検出手段」及び「第２の電流検出手段」に相当する。
【００３２】
ディジタル信号処理回路１３は負荷回路２０との間で通信を行うためのポートを備えていて、たとえばデータの通信または信号の入出力を行い、負荷回路（電子機器）に対してコンバータの状態等を常に送信したり、入力電圧、出力電圧、出力電流等を送信したり、負荷回路側から負荷状態等を受信してスイッチング制御に反映したりする。
【００３３】
図３はディジタル信号処理回路１３によるＰＦＣコンバータ１０１の各種制御方式について示す図である。図３の（Ａ）（Ｂ）（Ｃ）はそれぞれ交流入力電源の１周期における電流波形である。ここで、波形ＩＬは、図２に示したＰＦＣコンバータ１０１におけるインダクタＬ１に流れる電流の波形である。Ｉｐはそのピーク値（ピーク電流）の包絡線、Ｉａは平均値（平均電流）の包絡線である。但し、図示の都合上、ＰＦＣコンバータ１０１のスイッチング周波数を極端に低くした場合について、すなわちインダクタＬ１に流れる電流波形が三角波状に目に見えるような周波数で表している。
【００３４】
図３（Ａ）は電流連続モード、図３（Ｂ）は電流不連続モード、図３（Ｃ）は電流臨界モードでのそれぞれの波形図である。このように図３（Ａ）に示す電流連続モードではＰＦＣコンバータ１０１のインダクタＬ１に流れる電流は、交流入力電源のゼロクロス付近を除いて０になることがない。また図３（Ｂ）に示した電流不連続モードではＰＦＣコンバータ１０１のインダクタＬ１に励磁エネルギーが蓄積・放出されるごとに電流値が０になる期間が生じる。また図３（Ｃ）に示した臨界モードではインダクタＬ１への励磁エネルギーの蓄積・放出のごとに電流値が０となり、且つ電流値０の状態が連続することがない。
【００３５】
図４は、電流連続モードで制御が行われている状態におけるスイッチング周期の単位でのＰＦＣコンバータ１０１の電圧・電流の波形図である。
ディジタル信号処理回路１３は、ＰＦＣコンバータ１０１に対する入力電流、すなわちインダクタＬ１に流れる電流の平均値、が全波整流波形に相似形となるようにスイッチング制御を行う。このようにして入力電圧と相似形の入力電流が流れることにより、高調波が抑制され、力率が改善される。
【００３６】
図４において（Ａ）は商用電源周波数の半周期単位での、インダクタＬ１に流れる電流の平均値Ｉｉの電流波形、（Ｂ）はその一部の時間軸を拡大して表した、スイッチング周期の単位でのインダクタＬ１に流れる電流ＩＬの波形図、（Ｃ）はスイッチング素子Ｑ１のドレイン−ソース間電圧Ｖｄｓの波形図である。
【００３７】
スイッチング素子Ｑ１のオン期間ＴｏｎではインダクタＬ１に電流ＩＬが流れ、インダクタＬ１の両端間電圧およびインダクタＬ１のインダクタンスに応じて定まる傾きで電流ＩＬは上昇する。その後、スイッチング素子Ｑ１のオフ期間Ｔｏｆｆで、インダクタＬ１の両端電圧とそのインダクタンスによって定まる傾きで電流ＩＬは下降する。このように電流リップルΔＩＬの幅でインダクタＬ１に流れる電流ＩＬがスイッチング周期で変動する。
【００３８】
図５は、電流連続モードで平均電流制御を行うために、インダクタＬ１に流れる電流の平均値を求める方法について示す図である。
スイッチング素子Ｑ１のターンオフタイミングでインダクタＬ１に流れる電流値（ピーク値）をＩＬｐ、スイッチング素子Ｑ１のターンオンタイミングでインダクタＬ１に流れる電流値（最低値）をＩＬｂで表すと、スイッチング素子Ｑ１のオン期間ＴｏｎにインダクタＬ１に流れる電流の平均値（平均電流）は次の関係で表される。
【００３９】
ＩＬａｖ＝（ＩＬｐ＋ＩＬｂ）／２    …（１）
一方、スイッチング素子Ｑ１のオフ期間ＴｏｆｆにインダクタＬ１に流れる電流は直線的に減少するので、スイッチング素子Ｑ１のオフ期間Ｔｏｆｆの中央タイミングにおけるインダクタＬ１の電流値は上記平均電流値ＩＬａｖに等しい。
【００４０】
そこで、スイッチング素子Ｑ１のオン期間Ｔｏｎの中央のタイミングでの抵抗Ｒ１の降下電圧をサンプリングする。このサンプリング値が、スイッチング素子Ｑ１のオン期間ＴｏｎにインダクタＬ１に流れる電流の平均電流値ＩＬａｖに比例した値である。また、スイッチング素子Ｑ１のオフ期間Ｔｏｆｆの中央のタイミングでの抵抗Ｒ１の降下電圧をサンプリングする。このサンプリング値が、スイッチング素子Ｑ１のオフ期間ＴｏｆｆにインダクタＬ１に流れる電流の平均電流値ＩＬａｖに比例した値である。
【００４１】
前記スイッチング素子Ｑ１のゲートに対して与えるスイッチング制御信号はディジタル信号処理回路１３が生成するものであるので、前記オン期間Ｔｏｎの中央のタイミングｔｓ１及び前記オフ期間Ｔｏｆｆの中央のタイミングｔｓ２もディジタル信号処理回路１３が把握している（管理下にある）。そのため、例えば外部からタイミング信号を入力することなく、前記のタイミングで電流検出用抵抗Ｒ１の降下電圧をサンプリングすることができる。
【００４２】
次に、図２に示したディジタル信号処理回路１３による「電流増減状態検知手段」の第１の処理内容を、図６を参照して説明する。
図６（Ａ）は電流連続モードでのインダクタ電流の波形図、図６（Ｂ）は電流不連続モードでのインダクタ電流の波形図である。
【００４３】
電流連続モードであれば、既に述べたとおり図６（Ａ）に示すように、スイッチング素子Ｑ１のオン期間ＴｏｎにインダクタＬ１に流れる電流の平均電流値ＩＬａｖ１と、スイッチング素子Ｑ１のオフ期間ＴｏｆｆにインダクタＬ１に流れる電流の平均電流値ＩＬａｖ２とは等しい。従って、先ず、スイッチング素子Ｑ１のオン期間Ｔｏｎの中央タイミングｔｓ１でサンプリングすることによって第１の電流値ＩＬａｖ１を求め、スイッチング素子Ｑ１のオフ期間Ｔｏｆｆの中央タイミングｔｓ２でサンプリングすることによって第２の電流値ＩＬａｖ２を求め、ＩＬａｖ１＝ＩＬａｖ２であるとき、電流連続モードであると判定する。
【００４４】
なお、電流臨界モードは電流連続モードの特殊な状態であり、上記第１・第２の電流値の関係は電流連続モードの場合と同様である。以降の記述では「電流連続モード」は「電流臨界モード」を含んでいる。
【００４５】
一方、電流不連続モードであれば、図６（Ｂ）に示すように、スイッチング素子Ｑ１のオン期間ＴｏｎにインダクタＬ１に流れる電流の平均電流値ＩＬａｖ１と、スイッチング素子Ｑ１のオフ期間ＴｏｆｆにインダクタＬ１に流れる電流の平均電流値ＩＬａｖ２とは異なる。従って、先ず、スイッチング素子Ｑ１のオン期間Ｔｏｎの中央タイミングｔｓ１でサンプリングすることによって第１の電流値ＩＬａｖ１を求め、スイッチング素子Ｑ１のオフ期間Ｔｏｆｆの中央タイミングｔｓ２でサンプリングすることによって第２の電流値ＩＬａｖ２を求め、ＩＬａｖ１≠ＩＬａｖ２であるとき、電流不連続モードであると判定する。
【００４６】
次に、図２に示したディジタル信号処理回路１３による「電流増減状態検知手段」の第２の処理内容を、図７を参照して説明する。
図７（Ａ）は電流連続モードで且つ定常状態でのインダクタ電流の波形図、図７（Ｂ）は電流連続モードで且つ過渡状態でのインダクタ電流の波形図である。
定常状態では、図７（Ａ）に示すように、どのスイッチング周期においても、スイッチング素子Ｑ１のオン期間ＴｏｎにインダクタＬ１に流れる電流の平均電流と、スイッチング素子Ｑ１のオフ期間ＴｏｆｆにインダクタＬ１に流れる電流の平均電流とは等しい。従って、スイッチング素子Ｑ１の異なった周期におけるオン期間Ｔｏｎの中央タイミング（ｔｓ１１，ｔｓ１２，・・・）でサンプリングすることによって第１の電流値ＩＬａｖ１を複数回求め、スイッチング素子Ｑ１の異なった周期におけるオフ期間Ｔｏｆｆの中央タイミング（ｔｓ２１，ｔｓ２２，・・・）でサンプリングすることによって第２の電流値ＩＬａｖ２を求め、複数のタイミングでの第１の電流値と第２の電流値が等しいとき、電流不連続モードで且つ定常状態であると判定する。
【００４７】
一方、例えば入力電源電圧の投入開始時など、過渡状態では、図７（Ｂ）に示すように、異なったスイッチング周期において、スイッチング素子Ｑ１のオン期間ＴｏｎにインダクタＬ１に流れる電流の平均電流同士を比較すると、変化していることになる。スイッチング素子Ｑ１のオフ期間ＴｏｆｆにインダクタＬ１に流れる電流の平均電流同士を比較しても、変化していることになる。
【００４８】
図７（Ｂ）に示した例のように、隣接するスイッチング周期で比較すると、スイッチング素子Ｑ１のオン期間ＴｏｎにインダクタＬ１に流れる電流の平均電流はΔＩＬ１だけ増加している。また、スイッチング素子Ｑ１のオフ期間ＴｏｆｆにインダクタＬ１に流れる電流の平均電流はΔＩＬ２だけ増加している。
【００４９】
従って、スイッチング素子Ｑ１の、異なった周期におけるオン期間Ｔｏｎの中央タイミング（ｔｓ１１，ｔｓ１２，・・・）でサンプリングすることによって第１の電流値を複数回求め、これらの第１の電流値同士を比較し、変化していれば過渡状態であると判定する。または、スイッチング素子Ｑ１の、異なった周期におけるオフ期間Ｔｏｆｆの中央タイミング（ｔｓ２１，ｔｓ２２，・・・）でサンプリングすることによって第２の電流値を複数回求め、これらの第２の電流値同士を比較し、変化していれば過渡状態であると判定する。
【００５０】
次に、図２に示したディジタル信号処理回路１３による「電流増減状態検知手段」の第３の処理内容を、図８を参照して説明する。
図８（Ａ）は電流不連続モードで且つ定常状態でのインダクタ電流の波形図、図８（Ｂ）は電流連続モードで且つ過渡状態でのインダクタ電流の波形図である。
電流不連続モードであれば、図８（Ａ）に示すように、スイッチング素子Ｑ１のオン期間ＴｏｎにインダクタＬ１に流れる電流の平均電流値ＩＬａｖ１と、スイッチング素子Ｑ１のオフ期間ＴｏｆｆにインダクタＬ１に流れる電流の平均電流値ＩＬａｖ２とは異なる。また、定常状態であれば、異なったスイッチング周期において、スイッチング素子Ｑ１のオン期間ＴｏｎにインダクタＬ１に流れる電流の平均電流値ＩＬａｖ１は一定である。同様に、異なったスイッチング周期において、スイッチング素子Ｑ１のオフ期間ＴｏｆｆにインダクタＬ１に流れる電流の平均電流値ＩＬａｖ２は一定である。
【００５１】
従って、先ず、スイッチング素子Ｑ１の、異なった周期におけるオン期間Ｔｏｎの中央タイミング（ｔｓ１１，ｔｓ１２，・・・）でサンプリングすることによって第１の電流値を複数回求め、またはスイッチング素子Ｑ１の、異なった周期におけるオフ期間Ｔｏｆｆの中央タイミング（ｔｓ２１，ｔｓ２２，・・・）でサンプリングすることによって第２の電流値を複数回求め、第１の電流値同士または第２の電流値同士を比較し、変化していなければ定常状態であると判定する。そして、スイッチング素子Ｑ１のオン期間Ｔｏｎの中央タイミング（ｔｓ１１，ｔｓ１２，・・・）でサンプリングすることによって求めた第１の電流値ＩＬａｖ１と、スイッチング素子Ｑ１のオフ期間Ｔｏｆｆの中央タイミング（ｔｓ２１，ｔｓ２２，・・・）でサンプリングすることによって求めた第２の電流値ＩＬａｖ２とが異なった値であるとき、電流不連続モードであると判定する。
【００５２】
一方、電流連続モードで且つ電流減少方向の過渡状態であれば、図８（Ｂ）に示すように、スイッチング素子Ｑ１のオン期間ＴｏｎにインダクタＬ１に流れる電流の平均電流より、スイッチング素子Ｑ１のオフ期間ＴｏｆｆにインダクタＬ１に流れる電流の平均電流が低下する。この１周期における平均電流の変化は、図８（Ａ）に示した場合と同様に現れる。しかし、異なったスイッチング周期において、スイッチング素子Ｑ１のオン期間ＴｏｎにインダクタＬ１に流れる電流の平均電流同士を比較すると、ΔＩＬ１で示すように変化している。スイッチング素子Ｑ１のオフ期間ＴｏｆｆにインダクタＬ１に流れる電流の平均電流同士で比較しても、ΔＩＬ２で示すように同様に変化している。
【００５３】
従って、前述の電流連続モードと電流不連続モードの判定を行うとともに、過度状態の有無の判定を行うことによって、電流不連続モードで且つ定常状態であるのか、電流連続モードで過渡状態であるのかを判別する。
【符号の説明】
【００５４】
１０１…ＰＦＣコンバータ
１１…入力電圧検出回路
１２…出力電圧検出回路
１３…ディジタル信号処理回路
２０…負荷回路
Ｂ１…ダイオードブリッジ
Ｃ１…平滑コンデンサ
Ｄ１…ダイオード
Ｑ１…スイッチング素子
Ｒ１…電流検出用抵抗
Ｔｏｆｆ…オフ期間
Ｔｏｎ…オン期間
ｔｓ１，ｔｓ２…中央タイミング
Ｖａｃ…交流入力電源
【図１】
2010061652.tif 000003
【図２】
2010061652.tif 000004
【図３】
2010061652.tif 000005
【図４】
2010061652.tif 000006
【図５】
2010061652.tif 000007
【図６】
2010061652.tif 000008
【図７】
2010061652.tif 000009
【図８】
2010061652.tif 000010
【国際調査報告】
2010061652.tif 000011
2010061652.tif 000012